(57)【特許請求の範囲】
【請求項１】
連続した一枚の段ボール紙からなり、箱内に配設して該箱内に収容する商品への負荷を緩衝させる段ボール紙製緩衝材において、
前記箱の両側内面下部に配置する第１側壁部、および、該第１側壁部の上端から屈曲して内側下向きに延びる第２側壁部を備えた略三角形状をなす一対の緩衝壁部と、
前記第１側壁部の下部に連続し前記第２側壁部と交差するように内向き上方に傾斜して延びる第１連続部、および、該第１連続部の上端から前記第２側壁部の下端にかけて延びる第２連続部を備え、これら第１連続部と第２連続部との折曲位置を前記第１側壁部と第２側壁部との折曲位置と所定間隔をもって位置させた緩衝壁維持部と、
前記第２側壁部の下端を連続させる底面部とを備え、
前記緩衝壁部を構成する第２側壁部の下端を、前記第１側壁部の下端より上方に位置させ、前記底面部を前記箱の底から浮かせるとともに、
前記底面部の両端に、該底面部を浮かせた状態に保持する支持脚部を設けたことを特徴とする段ボール紙製緩衝材。
【請求項２】
前記底面部を、両緩衝壁部の間にかけて波状に連続するようにしたことを特徴とする請求項１に記載の段ボール紙製緩衝材。
【請求項３】
前記緩衝壁部の第２側壁部および波状に連続する底面部に、それぞれ直線上に位置する差込溝を設け、板状商品を幅方向に延びるように立設するようにしたことを特徴とする請求項２に記載の段ボール紙製緩衝材。
【発明の詳細な説明】
【０００１】
【発明の属する技術分野】
本発明は、板状の商品や精密機器を箱に梱包する際に使用する段ボール紙製緩衝材に関するものである。
【０００２】
【従来の技術】
図７に示すように、包装箱内に設置する従来の緩衝材１００は、包装箱の側面に沿って立設する第１側壁部１０１ａ、該第１側壁部１０１ａの上端から水平方向に延びる第２側壁部１０１ｂ、および、該第２側壁部１０１ｂの内端から下方に延びる第３側壁部１０１ｃからなる一対の緩衝壁部１０１を備えている。
【０００３】
前記緩衝壁部１０１の両端には、該緩衝壁部１０１の折り曲げ状態を維持するための緩衝壁維持部１０２が設けられている。具体的には、この緩衝壁維持部１０２は、第１側壁部１０１ａから屈曲するとともに第２側壁部１０１ｂと連続する第１連続部１０２ａと、前記第３側壁部１０１ｃに対して所定間隔をもって内側に位置する第２連続部１０２ｂとかなる。また、各緩衝壁部１０１の第３側壁部１０１ｃの下端および第２連続部１０２ｂの下端は、底面部１０３によって連続されている。
【０００４】
【発明が解決しようとする課題】
しかしながら、前記段ボール紙製緩衝材は、図８に示すように、緩衝材１００を構成する打抜製品１００’は、第２側壁部１０１ｂと第３側壁部１０１ｃとの境界部分に形成する折曲線１０４ａが長手方向Ｙにかけて延び、その端部から緩衝壁維持部１０２と分離するための切断線１０５が設けられている。また、緩衝壁維持部１０２は、その第２連続部１０２ｂを第３側壁部１０１ｃと所定間隔をもって位置させるために、第１連続部１０２ａと第２連続部１０２ｂとの境界部分に形成する折曲線１０４ｂを折曲線１０４ａと所定間隔をもって位置させている。
【０００５】
そのため、前記打抜製品１００’を折り曲げて緩衝材１００を形成する際には、折曲線１０４ａに沿って折り曲げる時に、その力が第１連続部１０２ａを構成する領域Ｒに伝わり、この領域Ｒが折れ曲がるという組立ミスが発生し易いという問題がある。また、前記緩衝壁部１０１は、断面略四角形状をなすように構成しているため、構成するための必要面積が広く、コスト高になる。
【０００６】
そこで、本発明では、組立作業ミスの削減、および、緩衝壁部１０１を構成する紙材の削減を図ることができる段ボール紙製緩衝材を提供することを課題とするものである。
【０００７】
【課題を解決するための手段】
前記課題を解決するため、本発明の段ボール紙製緩衝材は、連続した一枚の段ボール紙からなり、箱内に配設して該箱内に収容する商品への負荷を緩衝させる段ボール紙製緩衝材において、前記箱の両側内面下部に配置する第１側壁部、および、該第１側壁部の上端から屈曲して内側下向きに延びる第２側壁部を備えた略三角形状をなす一対の緩衝壁部と、前記第１側壁部の下部に連続し前記第２側壁部と交差するように内向き上方に傾斜して延びる第１連続部、および、該第１連続部の上端から前記第２側壁部の下端にかけて延びる第２連続部を備え、これら第１連続部と第２連続部との折曲位置を前記第１側壁部と第２側壁部との折曲位置と所定間隔をもって位置させた緩衝壁維持部と、前記第２側壁部の下端を連続させる底面部とを備え、前記緩衝壁部を構成する第２側壁部の下端を、前記第１側壁部の下端より上方に位置させ、前記底面部を前記箱の底から浮かせるとともに、前記底面部の両端に、該底面部を浮かせた状態に保持する支持脚部を設けた構成としている。
【０００８】
ここで、前記商品への負荷とは、収容した箱自体に外部から加わる振動などの衝撃や、その衝撃に伴う箱内で商品の移動などを意味する。
【０００９】
前記緩衝材によれば、緩衝壁部を構成する第１側壁部と第２側壁部の折曲位置は、その両端が緩衝壁維持部と完全に分離されている。そのため、前記折り曲げる力が直接的に緩衝壁維持部の第１連続部に伝わり、該第１連続部が折れ曲がることを防止できる。また、緩衝壁部は、断面略三角形状をなすように構成されているため、製造するための必要面積を削減し、コストダウンを図ることができる。しかも、前記緩衝壁部では、外部から加わる水平方向からの衝撃や、その衝撃に伴う水平方向の移動による負荷を確実に緩衝し、商品に衝撃が加わることを抑制できる。
【００１０】
また、前記緩衝壁部を構成する第２側壁部の下端を、前記第１側壁部の下端より上方に位置させ、前記底面部を前記箱の底から浮かせるとともに、前記底面部の両端に、該底面部を浮かせた状態に保持する支持脚部を設けているため、上下方向の衝撃や、その衝撃に伴う移動を確実に緩衝できる。そのうえ、箱内に重い商品を収容しても確実に浮かせた状態を維持できる。
【００１１】
前記緩衝材では、前記底面部を、両緩衝壁部の間にかけて波状に連続するように構成することが好ましい。このようにすれば、より確実に上下方向の衝撃および移動を抑制できる。
【００１２】
しかも、前記緩衝壁部の第２側壁部および波状に連続する底面部に、それぞれ直線上に位置する差込溝を設け、板状商品を幅方向に延びるように立設するように構成することが好ましい。このようにすれば、複数の板状商品を収容できるとともに、収容した商品に対して衝撃が加わることを確実に防止できる。
【００１３】
【発明の実施の形態】
以下、本発明の実施の形態を図面に従って説明する。
図１から図３は、本発明の第１実施形態の緩衝材１０を示す。この緩衝材１０は、大略、略断面三角形状をなす一対の緩衝壁部１３Ａ，１３Ｂと、該緩衝壁部１３Ａ，１３Ｂを構成する側壁部１４，１５が所定角度を超えて近接することを防止する緩衝壁維持部１６と、幅方向Ｘにかけて波状をなす底面部２０と、該底面部２０を包装箱１の底面から所定間隔をもって浮かせる支持脚部２２とからなる。なお、前記包装箱１は、４方を囲繞する周壁２の上下端部をフラップ３により閉塞するようにした周知のものである。
【００１４】
前記緩衝材１０は、紙器打抜装置（図示せず）によって段ボール紙５を図２（Ａ）に示す連続した一枚の展開状態で打ち抜き、この打抜製品１０’の所定位置を折り曲げることにより形成される。ここで、前記段ボール紙５は、図２（Ｂ）に示すように、一対の表紙５ａおよび裏紙５ｂの間に波状の中しん５ｃを配設したものである。
【００１５】
展開状態の打抜製品１０’は、図２（Ａ）に示すように、両側に緩衝壁部１３Ａ，１３Ｂを備えている。そして、これら緩衝壁部１３Ａ，１３Ｂの長手方向Ｙに沿った両端に、緩衝壁維持部１６が設けられるとともに、緩衝壁部１３Ａ，１３Ｂの間に底面部２０が設けられている。そして、この底面部２０の長手方向Ｙの両側に支持脚部２２が設けられている。なお、この図面において、波線は、肉厚を圧縮して表面を窪ませた第１折曲線１１を示す。また、一点鎖線は、折り曲げる際の作業性および折り曲げ状態の維持を図るために、前記と同様に折曲線を設けるとともに、この折曲線上に所定間隔をもって切断部分を設けた第２折曲線１２を示す。また、段ボール紙５を構成する中しん５ｃは、打抜製品１０’の幅方向Ｘにかけて延びるように構成されている。
【００１６】
前記緩衝壁部１３Ａ，１３Ｂは、包装箱１の両側内面下部に配置し、そこから鉛直上方に延びる略逆Ｔ字形状の第１側壁部１４、および、該第１側壁部１４と連続する第２側壁部１５とを備えている。これら側壁部１４，１５との境界部分には、第１折曲線１１ａが設けられ、この第１折曲線１１ａに沿って第２側壁部１５を屈曲させることにより、該第２側壁部１５が内側下向きに傾斜して延びるように構成される。
【００１７】
前記緩衝壁維持部１６は、前記緩衝壁部１３Ａ，１３Ｂの第１側壁部１４と第２側壁部１５との交差角度が所定角度を越えて近接することを防止するもので、第１側壁部１４の下部から第２側壁部１５の端部まで延びる第１切断線１７によって緩衝壁部１３Ａ，１３Ｂと区画されている。具体的には、この緩衝壁維持部１６は、第１側壁部１４の下部の突部１４ａと連続する第１連続部１８と、該第１連続部１８と連続する第２連続部１９とからなる。第１連続部１８と第１側壁部１４の突部１４ａとの境界部分には第１折曲線１１ｂが設けられている。また、第１連続部１８と第２連続部１９との境界部分には、第１折曲線１１ｃが設けられている。そして、この第１折曲線１１ｃは、緩衝壁部１３Ａ，１３Ｂの第１折曲線１１ａに対し、幅方向Ｘに所定間隔をもって離れた位置とされている。
【００１８】
本実施形態では、前記緩衝壁維持部１６は、前記折曲線１１ｂ，１１ｃの形成位置により、第１連続部１８の屈曲で該第１連続部１８が緩衝壁部１３Ａ，１３Ｂの第２側壁部１５と交差するように傾斜して延び、第２連続部１９の屈曲で該第２連続部１９が第１連続部１８の上端から前記第２側壁部１５の下端にかけて延びるように構成される。また、第１側壁部１４を包装箱１の側壁に沿うように鉛直上向きに延びるように位置させると、第１側壁部１４より長尺な第２側壁部１５の下端が第１側壁部１４の下端より上方に位置し、包装箱１の底から所定間隔をもって浮くように構成されている。
【００１９】
前記底面部２０は、一対の緩衝壁部１３Ａ，１３Ｂの第２側壁部１５の下端と連続するように設けられるもので、これらの境界部分には第２折曲線１２ａが設けられている。本実施形態では、この底面部２０は、一対の第２折曲線１２ａの間に５つの第２折曲線１２ｂを所定間隔をもって形成し、両側の緩衝壁部１３Ａ，１３Ｂの間にかけて６つの底構成面２１ａ〜２１ｆにより波状に連続するように構成されている。
【００２０】
前記支持脚部２２は、前記底面部２０を包装箱１の底から浮かせた状態に保持するもので、底面部２０を構成する両側端部の底構成面２１ａ，２１ｆを除き、その間の底構成面２１ｂ〜２１ｅと第２切断線２３によって区画されている。この第２切断線２３は、前記第１切断線１７と略直線上に一致するように形成されている。具体的には、この支持脚部２２は、第２連続部１９および底構成面２１ａ，２１ｆと連続する一対の基礎枠部２４Ａ，２４Ｂと、該基礎枠部２４Ａ，２４Ｂと連続する脚部２５とからなる。
【００２１】
前記基礎枠部２４Ａ，２４Ｂと第２連続部１９との境界部分には第２折曲線１２ａと直線上に一致する第１折曲線１１ｄが設けられている。また、基礎枠部２４Ａ，２４Ｂの境界である中央部分には、第１折曲線１１ｅが設けられている。
【００２２】
前記脚部２５は、組立状態において、上方への突出を防止するための切断部２５ａと、包装箱１の底に当接させるための当接部２５ｂとを備え、この当接部２５ｂの突出長さｈが、底面部２０を包装箱１の底から浮かせる間隔に設定されている。この脚部２５と基礎枠部２４Ａ，２４Ｂとの境界部分には第２折曲線１２ｃが設けられている。
【００２３】
前記打抜製品１０’を緩衝材１０として組み立てる場合には、例えば、第２折曲線１２ａおよび第１折曲線１１ｄに沿って緩衝壁部１３Ａ，１３Ｂおよび緩衝壁構成部を底面部２０に対して谷折りする。
【００２４】
ついで、第１折曲線１１ａに沿って緩衝壁部１３Ａ，１３Ｂの第１側壁部１４および第２側壁部１５を山折りする。この際、第１折曲線１１ａの両端は、第１切断線１７により緩衝壁維持部１６と完全に切断されている。また、本実施形態では、段ボール紙５を構成する中しん５ｃの延び方向を、第１折曲線１１ａの延び方向（折曲方向）と直交する幅方向Ｘとし、長手方向Ｙに沿った折り曲げの力には強い耐性を有するように構成されている。そのため、前記折り曲げる力が直接的に緩衝壁維持部１６の第１連続部１８に伝わり、該第１連続部１８が折れ曲がることはない。
【００２５】
なお、前記第１側壁部１４と第２側壁部１５の折り曲げを続けると、その力が、第１側壁部１４と連続した第１連続部１８から緩衝壁構成部に伝わる。そして、この緩衝壁構成部において、長手方向Ｙに沿った折れ曲がりを許容する第１折曲線１１ｂ，１１ｃに沿って緩衝壁構成部が屈曲する。
【００２６】
その後、第２折曲線１２ｂおよび第１折曲線１１ｅに沿って底面部２０および支持脚部２２の基礎枠部２４Ａ，２４Ｂを屈曲させるとともに、第２折曲線１２ｂをそれぞれ山折りまたは谷折りし、底構成面２１ａ〜２１ｆを波状に連続するように屈曲させる。また、第２折曲線１２ｃに沿って各脚部２５を折り曲げる。
【００２７】
このようにして組み立てた緩衝材１０を包装箱１に収容すると、図１および図３に示すように、両側の緩衝壁部１３Ａ，１３Ｂは、その第１側壁部１４が包装箱１の周壁２に沿って立設する。また、第２側壁部１５は、緩衝壁維持部１６により第１側壁部１４に対して所定角度で屈曲し、その下端が包装箱１の底（第１側壁部１４の下端）より上方に位置する。一方、緩衝壁維持部１６は、第１連続部１８が第２側壁部１５と交差するように内向きに上方傾斜する。また、第２連続部１９が第１連続部１８から第２側壁部１５の下端にかけて延び、緩衝壁部１３を構成する第１側壁部１４と第２側壁部１５とが所定角度を超えて鋭角に近接することを抑制する。さらに、支持脚部２２の脚部２５は、その当接部２５ｂが包装箱１の底に当接し、波状に連続した底面部２０が包装箱１の底から所定間隔をもって離間した状態に支持する。
【００２８】
前記緩衝材１０を配置した包装箱１には、例えば、衝撃により各縁が破損し易い板状の樹脂製ボードや精密機器が収納される。なお、収容する商品は、その長さが両端の緩衝壁維持部１６の間隔と同等で、幅が底面部２０の頂部と同一高さでの第２側壁部１５間の間隔と同等のものである。また、収容した商品の上部には、発泡スチロールなどの周知の緩衝部材が配設され、この状態で包装箱１の開口をフラップ３によって閉塞する。
【００２９】
図３に示すように、商品を収容した包装箱１に対し、上側から衝撃が加わると、その衝撃は収納した緩衝部材により緩衝される。また、下方から衝撃が加わると、その衝撃は前記緩衝材１０の底面部２０により緩衝される。さらに、これらの衝撃に伴う商品の上下方向の移動は、緩衝部材および緩衝材１０の底面部２０により抑制されるとともに減衰される。
【００３０】
具体的に、緩衝材１０では、商品が下向きの移動することによる負荷Ｆ１が加わると、その負荷Ｆ１は、底面部２０を構成する両側端部の底構成面２１ａ，２１ｆから緩衝壁部１３の第２側壁部１５、および、支持脚部２２の基礎枠部２４Ａ，２４Ｂに分散される。そして、その分散された負荷Ｆ１ａは、第２側壁部１５を第１側壁部１４の側に近接する方向に移動させるように作用するとともに、基礎枠部２４Ａ，２４Ｂを両側に広がるように移動させるように作用する。そして、これらの移動は、第２連続部１９を介して連続した第１連続部１８の抗力と、緩衝壁部１３が有する弾性力により抑制されるとともに、緩衝および減衰される。
【００３１】
また、包装箱１に対して左右の周壁２から衝撃が加わると、その衝撃は緩衝材１０の緩衝壁部１３により緩衝される。また、その衝撃に伴う左右方向の移動は、緩衝壁部１３を構成する第２側壁部１５により抑制されるとともに減衰される。
【００３２】
具体的には、緩衝材１０では、商品が左右に移動することによる負荷Ｆ２が加わると、その負荷Ｆ２は、緩衝壁部１３を構成する第２側壁部１５を第１側壁部１４の側に移動させるように作用する。そして、この移動は、前記と同様に、第２側壁部１５の下端と連続した第２連続部１９を介して第１連続部１８の抗力と、緩衝壁部１３が有する弾性力により抑制されるとともに、緩衝および減衰される。
【００３３】
さらに、包装箱１に対して前後方向（緩衝壁部１３の長手方向Ｙ）の衝撃が加わると、その衝撃は緩衝材１０の支持脚部２２および緩衝壁維持部１６により緩衝される。また、その衝撃に伴う前後方向の移動は、同様に支持脚部２２の基礎枠部２４Ａ，２４Ｂ、および、緩衝壁維持部１６の連続部１８，１９により抑制されるとともに減衰される。なお、この前後方向の負荷は、緩衝材１０を構成する段ボール紙５が有する弾性力でのみ緩衝および減衰される。即ち、緩衝壁維持部１６は、長手方向に負荷を緩衝する役割もなす。
【００３４】
このように、本発明の緩衝材１０では、緩衝壁部１３を断面略三角形状に構成しているため、製造するための必要面積を削減し、コストダウンを図ることができる。しかも、前述のように、外部から加わる衝撃や、その衝撃に伴う移動による負荷を確実に緩衝し、商品に衝撃が加わることを抑制できる。また、底面部２０には、連続する支持脚部２２が設けられているため、包装箱１内に収容する商品が重いものでも確実に底面部２０を浮かせた状態に保持できる。
【００３５】
また、本実施形態の緩衝材１０では、底面部２０の各底構成面２１の幅方向Ｘの長さを変更することにより、底面部２０の頂部の高さを変更できる。即ち、底面部２０からの緩衝距離を希望に応じて容易に調整できる。
【００３６】
また、緩衝壁部１３の第１折曲線１１ａと緩衝壁維持部１６の第１折曲線１１ｃとの間隔を調整することにより、長手方向の負荷を緩衝する緩衝壁維持部１６の内方への突出量、および、緩衝壁部１３の屈曲可能な角度を変更できる。即ち、確保したい緩衝力や商品の幅方向Ｘの大きさに応じ、緩衝壁部１３の傾斜角度を希望に応じて調整できる。
【００３７】
また、支持脚部２２を構成する基礎枠部２４Ａ，２４Ｂの長さを調整することにより、底構成面２１ｂ，２１ｅとの屈曲角度を調整し、これらの間の底構成面２１の屈曲角度を調整することにより、底面部２０の強度を変更できる。即ち、収容する商品の重量に応じ、底面の強度を希望に応じて調整できる。
【００３８】
図４から図６は第２実施形態の緩衝材１０を示す。この第２実施形態では、緩衝壁部１３および底面部２０に直線上に位置する差込溝１３ａ，２０ａを設け、板状の商品を幅方向Ｘに延びるように立設できるようにした点で、第１実施形態と特に相違している。
【００３９】
具体的には、第２実施形態の打抜製品１０’は、図５に示すように、緩衝壁部１３を構成する第２側壁部１５に、所定間隔をもって差込溝１３ａが設けられている。この差込溝１３ａは、底面部２０の側を除く３辺をコ字形状に切断することにより、内部に舌片１３ｂを有する構成とされている。
【００４０】
また、底面部２０は、４つの底構成面２１ａ〜２１ｄにより波状に連続するように構成され、その両側端部の底構成面２１ａ，２１ｄから隣接する底構成面２１ｂ，２１ｃに延びるように差込溝２０ａが設けられている。この差込溝２０ａは、各緩衝壁部１３Ａ，１３Ｂの側を除く３辺をコ字形状に切断することにより、内部に舌片２０ｂを有する構成とされている。この舌片２０ｂは、組立時において、第２折曲線１２ｂに沿って底面部２０を折り曲げる際に、折れ曲がるのを防止するために先端部が切り抜かれた構成とされている。なお、本実施形態では、底構成面２１ａ，２１ｂおよび２１ｃ，２１ｄとの境界部分に形成する折曲線を切断部分を設けない第１折曲線としている。
【００４１】
この第２実施形態の緩衝材１０では、図３に示すように、差込溝１３ａ，２０ａに液晶パネルなどの板状の機器を差し込むことにより、各差込溝１３ａ，２０ａの舌片１３ｂ，２０ｂを折り曲げ、差込溝１３ａ，２０ａ内に位置決めして収納できる。そして、包装箱１の外部から衝撃が加わった場合には、第１実施形態と同様に、その衝撃を緩衝するとともに、移動を抑制および減衰できる。
【００４２】
なお、本発明の緩衝材１０は前記実施形態の構成に限定されるものではない。
例えば、前記実施形態では、複数の底構成面２１により波状に連続するように底面部２０を構成したが、水平面により構成してもよい。
【００４３】
また、前記実施形態では、底面部２０を包装箱１の底から所定間隔をもって浮くように構成したが、箱の底に周知の緩衝部材を敷設する場合には、緩衝壁部１３の第１側面部の下端と面一に位置するように構成してもよい。
【００４４】
さらに、収容する商品が軽量である場合には、底面部２０の両側に設けた支持脚部２２は設けない構成としてもよい。
【００４５】
【発明の効果】
以上の説明から明らかなように、本発明の段ボール紙製緩衝材は、緩衝壁部を構成する第１側壁部と第２側壁部の折曲位置は、その両端が緩衝壁維持部と完全に分離されているため、前記折り曲げる力が直接的に緩衝壁維持部の第１連続部に伝わり、該第１連続部が折れ曲がることを防止できる。また、緩衝壁部は、断面略三角形状をなすように構成されているため、製造するための必要面積を削減し、コストダウンを図ることができる。しかも、前記緩衝壁部では、外部から加わる水平方向からの衝撃や、その衝撃に伴う水平方向の移動による負荷を確実に緩衝し、商品に衝撃が加わることを抑制できる。
【図面の簡単な説明】
【図１】  本発明の第１実施形態の緩衝材を示す斜視図である。
【図２】  （Ａ）は第１実施形態の緩衝材の展開状態を示す平面図、（Ｂ）は段ボール箱を示す側面図である。
【図３】  第１実施形態の緩衝材を箱に設置した状態を示す断面図である。
【図４】  第２実施形態の緩衝材を示す斜視図である。
【図５】  第２実施形態の緩衝材の展開状態を示す平面図である。
【図６】  第３実施形態の緩衝材を箱に設置した状態を示す断面図である。
【図７】  従来の緩衝材を示す斜視図である。
【図８】  従来の緩衝材の展開状態を示す平面図である。
【符号の説明】
１…包装箱、１０…緩衝材、１０’…打抜製品、１１ａ〜１１ｅ…第１折曲線、１２ａ〜１２ｃ…第２折曲線、１３Ａ，１３Ｂ…緩衝壁部、１３ａ…差込溝、１４…第１側壁部、１５…第２側壁部、１６…緩衝壁維持部、１８…第１連続部、１９…第２連続部、２０…底面部、２０ａ…差込溝、２１ａ〜２１ｆ…底構成面、２２…支持脚部。
【図１】
0003959255.tif 000002
【図２】
0003959255.tif 000003
【図３】
0003959255.tif 000004
【図４】
0003959255.tif 000005
【図５】
0003959255.tif 000006
【図６】
0003959255.tif 000007
【図７】
0003959255.tif 000008
【図８】
0003959255.tif 000009